(57)【要約】      （修正有）【課題】必要に応じて、生体の測定位置まで延長する配線を容易に接続可能な電極シートを提供すること。【解決手段】電極シート（主シート，副シート）は、シート状のフレキシブル基材２，１１と、前記フレキシブル基材２，１１上に形成される配線３，１２と、前記フレキシブル基材２，１１上に形成されて、前記配線３，１２に電気的に接続される電極５，１４と、前記配線３，１２に重ね合わされるとともに、前記電極５，１４を露出させて前記フレキシブル基材２，１１に重ね合わされる絶縁層４，１３と、を備え、前記電極５，１４は、熱可塑性樹脂に導電性粒子が分散された導電性材料によって形成される。【選択図】図６
2018042686.tif 000002
【特許請求の範囲】
【請求項１】
シート状のフレキシブル基材と、
前記フレキシブル基材上に形成される配線と、
前記フレキシブル基材上に形成されて、前記配線に電気的に接続される電極と、
前記配線に重ね合わされるとともに、前記電極を露出させて前記フレキシブル基材に重ね合わされる絶縁層と、
を備え、
前記電極は、熱可塑性樹脂に導電性粒子が分散された導電性材料によって形成される電極シート。
【請求項２】
前記電極は、互いに重ならない位置に複数形成される請求項１に記載の電極シート。
【請求項３】
前記電極は、前記配線を挟んで前記フレキシブル基材上の両側に形成される請求項２に記載の電極シート。
【請求項４】
前記フレキシブル基材、前記配線、前記電極、及び、前記絶縁層は、伸縮性のある材料によって形成される請求項１〜３のいずれかに記載の電極シート。
【請求項５】
前記電極は、前記絶縁層よりも薄い層として形成される請求項１〜４のいずれかに記載の電極シート。
【発明の詳細な説明】
【技術分野】
【０００１】
本発明は、電極シートに関する。
【背景技術】
【０００２】
従来より、電極及び計測器が一体となった簡易型脳波計が知られている。この簡易型脳波計では、硬い電極を用いて長時間計測を行うことによる患者への負担を無視することができず、電極構成が固定されており、患者や医師の要望に合わせた生体信号の取得が困難であった。また、この簡易型脳波計では、頭部に固定するためのヘッドセット等の固定具が必要であった。
【０００３】
そこで、より容易に脳波を計測可能な装置として、額に貼付可能な伸縮性をもつ樹脂シートに３つの電極を設けることにより、脳波を計測可能な電極シートが提案されている（例えば、特許文献１参照）。提案された電極シートによれば、樹脂シートを額に貼付するだけで脳波を取得できるので、長時間計測における患者の負担を緩和することができる。
【先行技術文献】
【特許文献】
【０００４】
【特許文献１】特開２０１３−１２１４８９号公報
【発明の概要】
【発明が解決しようとする課題】
【０００５】
しかしながら、提案された電極シートでは、電極が樹脂シートに固定されているため、３つの電極の形成位置に応じた生体の脳波（生体信号）のみを取得することしかできなかった。そのため、提案された電極シートにおいて、３つの電極の形成位置から外れた測定位置や、電極シートを生体に密着させにくい位置の生体信号を取得することは困難であった。そこで、必要に応じて、生体の測定位置まで延長する配線を容易に接続可能な電極シートがあれば理想的である。
【０００６】
本発明は、必要に応じて、生体の測定位置まで延長する配線を容易に接続可能な電極シートを提供することを目的とする。
【課題を解決するための手段】
【０００７】
本発明は、シート状のフレキシブル基材と、前記フレキシブル基材上に形成される配線と、前記フレキシブル基材上に形成されて、前記配線に電気的に接続される電極と、前記配線に重ね合わされるとともに、前記電極を露出させて前記フレキシブル基材に重ね合わされる絶縁層と、を備え、前記電極は、熱可塑性樹脂に導電性粒子が分散された導電性材料によって形成される電極シートに関する。
【０００８】
また、前記電極は、互いに重ならない位置に複数形成されるのが好ましい。
【０００９】
また、前記電極は、前記配線を挟んで前記フレキシブル基材上の両側に形成されるのが好ましい。
【００１０】
また、前記フレキシブル基材、前記配線、前記電極、及び、前記絶縁層は、伸縮性のある材料によって形成されるのが好ましい。
【００１１】
また、前記電極は、前記絶縁層よりも薄い層として形成されるのが好ましい。
【発明の効果】
【００１２】
本発明によれば、必要に応じて、生体の測定位置まで延長する配線を容易に接続可能な電極シートを提供することができる。
【図面の簡単な説明】
【００１３】
【図１】本発明の一実施形態に係る電極シートを示す平面図である。
【図２】図１Ａ−Ａ線断面図である。
【図３】一実施形態に係る他の電極シートを示す平面図である。
【図４】図３のＢ−Ｂ線断面図である。
【図５】一実施形態に係る電極シートに他の電極シートを圧着した後の平面図である。
【図６】図５のＣ−Ｃ線断面図である。
【図７】図５に示す電極シートの使用例を示す平面図である。
【発明を実施するための形態】
【００１４】
以下、本発明に係る電極シートの実施形態について、図１〜図７を参照して説明する。
本実施形態に係る電極シートは、例えば、人体の額に取り付けられて、脳波を取得することに用いられる。電極シートは、全体として、伸縮性及び柔軟性をもち、額の曲面形状に追従して湾曲することが可能である。これにより、電極シートは、額に対して密着することができ、脳波を効果的に取得することができる。
【００１５】
また、電極シートは、他の電極シートと組み合わされることにより、脳波とともに他の生体信号を取得することが可能になっている。例えば、他の電極シートを耳に接触させることにより、脳波に対するアース電位を取得することが可能である。また、他の電極シートを両目脇のこめかみ部（付近）に接触させることにより、眼電位を取得することが可能である。なお、本実施形態においては、理解を容易にするために、脳波を取得可能な電極シートを主シート１と記載し、他の電極シートを副シート１０と記載する。主シート１及び副シート１０のいずれもが、本発明の電極シートの一形態として示される。
【００１６】
上記のような主シート１は、図１及び図２に示すように、フレキシブル基材２と、配線３と、電極５と、絶縁層４と、フィルム基材６と、を備える。
フレキシブル基材２は、例えば、ウレタン系エストラマーに代表されるエストラマー材料によってシート状に形成される。また、フレキシブル基材２は、平面視矩形形状で一辺が面外方向に突出する形状をもつ。フレキシブル基材２は、突出する辺側において、外部の解析装置１００や、無線により解析装置１００に生体信号を送出する無線機器（図示せず）に接続可能になっている。このようなフレキシブル基材２は、外力によって面内方向に伸長する伸縮性を有する。
【００１７】
配線３は、樹脂材料（樹脂バインダ）に導電性粒子が分散して配合された導電性材料で形成される。配線３は、フレキシブル基材２上を横切るように直線状に形成される。具体的には、配線３は、フレキシブル基材２の突出させた辺から、対向する辺に向けて、フレキシブル基材２の面内を横切るように形成される。本実施形態において、配線３は、８つ設けられる。また、配線３は、その導電性材料自体が極めて低いヤング率（例えば、１００ＭＰａ以下、より好ましくは１０ＭＰａ以下）を有しており、フレキシブル基材２の面内方向への伸縮運動に追従する挙動を発現する。配線３は、例えば、印刷法により形成することができる。
【００１８】
電極５は、熱可塑性樹脂（樹脂バインダ）に導電性粒子が分散された導電性材料によって形成される。このような電極５は、フレキシブル基材２上に平面視円形に形成されて、配線３に電気的に接続される。本実施形態において、電極５は、配線３を挟んでフレキシブル基材２の同一平面上の両側に、それぞれ４つずつ形成される。また、電極５は、互いに重ならない位置に形成される。また、電極５は、配線３と同様に低いヤング率（例えば、１００ＭＰａ以下、より好ましくは１０ＭＰａ以下）を有し、フレキシブル基材２の動きに対し高い追従性を示す。電極５は、例えば、配線３の形成とともに、印刷法により形成することができる。
【００１９】
絶縁層４は、例えば、エストラマー材料によって形成される伸縮性のシート状カバーであり、配線３に重ね合わされる。本実施形態においては、絶縁層４は、配線３の形成位置を超えて、フレキシブル基材２上に重なるように形成される。特に、絶縁層４は、フレキシブル基材２の矩形領域と、突出する辺によって形成される領域の一部とに重ねて形成される。また、絶縁層４は、電極５に重なる位置に、電極５の径よりも径の小さい貫通孔４１をもつ。これにより、貫通孔４１は、電極５を露出する。
【００２０】
フィルム基材６は、フレキシブル基材２の突出する辺によって形成される領域の形状に合わせて形成され、配線３及びフレキシブル基材２の表面に重ね合わせられる。フィルム基材６は、フレキシブル基材２よりも面内剛性が高い材料で形成され、これにより、配線３が断線することを防止するとともに、当該フィルム基材６が適度なコシを備えることから、図示しない解析装置１００と電極シート（主シート１）とを接続する際のハンドリング性を向上させることが可能である。
【００２１】
以上のような主シート１によれば、絶縁層４の露出する表面にハイドロゲルや導電性の粘着剤（図示せず）が塗布され、主シート１が、生体の任意の測定位置（例えば、額）に取り付けられる。フレキシブル基材２、配線３、電極５、及び、絶縁層４が伸縮性をもつことから、主シート１は、生体の形状に合わせて湾曲した状態で生体に密着する。これにより、電極５が生体に密着するので、電極５は、密着した位置の生体信号を取得することができる。一方、配線３は、絶縁層４によって生体に触れないように形成されているので、配線３を通じて意図しない生体信号を取得することが防止できる。つまり、電極５によって取得された生体信号に、ノイズがのることを防止できる。また、面内剛性の高いフィルム基材６によって、フレキシブル基材２の突出する辺によって形成される領域に配置される配線３を保護することができるので、断線から配線３を保護することができる。
【００２２】
次に、副シート１０について、図３及び図４を参照して説明する。
副シート１０は、図３及び図４に示すように、フレキシブル基材１１と、配線１２と、電極１４と、絶縁層１３と、を備える。
【００２３】
フレキシブル基材１１は、例えば、ウレタン系エストラマーに代表されるエストラマー材料によってシート状に形成される。また、フレキシブル基材１１は、直線状に形成され、同一平面内で中途部を湾曲させて、折り返された形状に形成される。また、フレキシブル基材２は、その両端部が幅方向に拡大されて形成される。フレキシブル基材１１は、外力によって面内方向に伸長する伸縮性を有する。
【００２４】
配線１２は、樹脂材料（樹脂バインダ）に導電性粒子が分散して配合された導電性材料で形成される。配線１２は、フレキシブル基材１１に沿うように直線状に形成される。具体的には、配線１２は、フレキシブル基材１１の幅方向中央に、直線状に形成される。また、配線１２は、その導電性材料自体が極めて低いヤング率（例えば、１００ＭＰａ以下、より好ましくは１０ＭＰａ以下）を有しており、フレキシブル基材１１の面内方向への伸縮運動に追従する挙動を発現する。配線１２は、例えば、印刷法により形成することができる。
【００２５】
電極１４は、熱可塑性樹脂（樹脂バインダ）に導電性粒子が分散された導電性材料によって形成される。このような電極１４は、フレキシブル基材１１上の一端側に形成される円形電極１４Ａと、他端側に形成される矩形電極１４Ｂと、を備える。
円形電極１４Ａは、平面視円形に形成されて、配線１２の一端に電気的に接続される。円形電極１４Ａは、配線１２と同様に低いヤング率（例えば、１００ＭＰａ以下、より好ましくは１０ＭＰａ以下）を有し、フレキシブル基材１１の動きに対し高い追従性を示す。円形電極１４Ａは、例えば、配線１２の形成とともに、印刷法により形成することができる。
矩形電極１４Ｂは、平面視矩形に形成されて、配線１２の他端に電気的に接続される。矩形電極１４Ｂは、フレキシブル基材１１、配線１２、及び、円形電極１４Ａと同様に、伸縮性をもつ配線１２、および円形電極１４Ａと同様に低いヤング率（例えば、１００ＭＰａ以下、より好ましくは１０ＭＰａ以下）を有し、フレキシブル基材１１の動きに対し高い追従性を示す。矩形電極１４Ｂは、例えば、配線１２及び円形電極１４Ａの形成とともに、印刷法により形成することができる。
【００２６】
絶縁層１３は、例えばエストラマー材料によって形成される伸縮性のシート状カバーであり、配線１２に重ね合わされる。本実施形態においては、絶縁層１３は、配線１２の形成位置を超えて、フレキシブル基材１１上に重なるように形成される。特に、絶縁層１３は、フレキシブル基材１１の形状に合わせて形成される。
また、絶縁層１３は、円形電極１４Ａに重なる位置に、円形電極１４Ａの径よりも径の小さい貫通孔１３１Ａをもつ。これにより、貫通孔１３１Ａは、円形電極１４Ａを露出する。また、絶縁層１３は、矩形電極１４Ｂに重なる位置に、矩形電極１４Ｂよりも開口面積の小さい矩形の貫通孔１３１Ｂをもつ。これにより、貫通孔１３１Ｂは、矩形電極１４Ｂを露出する。
【００２７】
以上のような副シート１０によれば、矩形電極１４Ｂの表面にハイドロゲルや導電性の粘着剤（図示せず）が塗布されることにより、生体の任意の測定位置（例えば、耳や瞼）に矩形電極１４Ｂを取り付けることができる。そして、フレキシブル基材１１、矩形電極１４Ｂ、及び、絶縁層１３が伸縮性をもつことから、矩形電極１４Ｂが生体の形状に合わせて湾曲した状態で生体に密着することができる。
【００２８】
そして、以上のような主シート１及び副シート１０によれば、図５及び図６に示すように、主シート１が備えるフレキシブル基材２、電極５、及び、絶縁層４と、副シート１０が備えるフレキシブル基材１１、円形電極１４Ａ、及び、絶縁層１３とのそれぞれが、熱可塑性樹脂を用いて形成されていることから、両者を重ね合わせて熱圧着することにより、容易に接着することができる。これにより、主シート１の配線３と、副シート１０の配線１２とが電気的に接続されるので、副シート１０の矩形電極１４Ｂによって取得された生体信号を、配線１２と円形電極１４Ａとを介して、主シート１の電極５に入力することができる。特に、電極５及び円形電極１４Ａは、互いに露出している面を対向して接着される（絶縁層４，１３が対向する）ので、主シート１を生体に貼付すると、生体には副シート１０のフレキシブル基材１１が接触する。これにより、接着された電極５の位置から生体信号を取得してしまうことを防止できるので、生体信号にノイズがのることを防止できる。なお、図５では、副シート１０の配線１２及び矩形電極１４Ｂを実線で示しているが、両者は、フレキシブル基材１１の背面側に位置する。また、図５では、貫通孔１３１Ｂを二点鎖線で示しているが、貫通孔１３１Ｂは、フレキシブル基材１１の背面側に位置する。
【００２９】
また、副シート１０のフレキシブル基材１１、配線１２、及び絶縁層１３が伸縮性をもつことから、円形電極１４Ａの接着位置から測定位置までの距離に合わせて、フレキシブル基材１１、配線１２、及び、絶縁層１３を伸長することができる。特に、主シート１には、電極５が配線３を挟んで４つずつ形成されている。これにより、測定位置に合わせて接着する電極５をその中から選択することにより、副シート１０の配線１２が邪魔にならず、且つ、伸長し過ぎないように主シート１及び副シート１０を接続することができる。本実施形態では、図５及び図７に示すように、主シート１の３つの電極５のそれぞれに副シート１０の円形電極１４Ａが接続され、副シート１０のそれぞれは、一方の耳と、両目脇のこめかみ部（付近）のそれぞれとの生体信号を主シート１に入力することができる。特に、主シート１及び副シート１０を別体として使用者に対して提供することにより、必要な副シート１０を熱圧着により容易に主シート１の電極５に選択的に接続することができるので、使用者にとって利便性が大きく向上する。
【００３０】
以上のような電極シートは、以下のように用いられる。
まず、額から脳波を取得する１つの主シート１に対して、他の測定位置の数に応じた数の副シート１０を用意する。本実施形態では、一方の耳と、両目脇のこめかみ部（付近）のそれぞれとの生体信号を取得するために、３つの副シート１０を用意する。
【００３１】
そして、３つの副シート１０の円形電極１４Ａのそれぞれが、主シート１の電極５のいずれかに排他的に接着される。具体的には、３つの副シート１０の円形電極１４Ａのそれぞれが、主シート１の電極５のいずれかに熱圧着されることにより、他の副シート１０の円形電極１４Ａとは排他的に接着される。本実施形態では、一方の耳の生体信号を取得する副シート１０が、主シート１の配線３を挟む一方の電極５のうち、突出する辺に最も近い電極５に接着される。そして、両目脇のこめかみ部（付近）のそれぞれの生体信号を取得する副シート１０が、主シート１の配線３を挟む他方の電極５のうち、突出する辺に最も近い電極５と、最も遠い電極５とに接着される。
【００３２】
そして、主シート１が、額に貼り付けられた後、副シート１０のそれぞれが測定位置に貼り付けられることにより、図７に示すように、それぞれの生体信号が取得される。主シート１の電極５のうち、副シート１０に接着されていない電極５は、生体の脳波を取得して、配線３を介して解析装置１００に生体信号を送出する。副シート１０に接続されている電極５は、副シート１０の電極１４によって取得された生体信号を取得し、配線３を介して解析装置１００に送出する。これにより、脳波とともに、他の生体信号を解析装置１００に送出することができる。
【００３３】
以上説明した一実施形態の電極シートによれば、以下のような効果を奏する。
（１）電極シート（主シート１、副シート１０）を、シート状のフレキシブル基材２，１１と、フレキシブル基材２，１１上に形成される配線３，１２と、フレキシブル基材２，１１上に形成されて、配線３，１２に電気的に接続される電極５，１４と、配線３，１２に重ね合わされるとともに、フレキシブル基材２，１１上の領域のうち、電極５，１４が形成されている以外の領域に重ね合わされる絶縁層４，１３と、により構成した。そして、熱可塑性樹脂に導電性粒子が分散された導電性材料によって電極５，１４を形成した。これにより、電極シート（主シート１、副シート１０）を、生体適合性を備えたハイドロゲルや導電性の粘着剤を介して人体に接触させることで、電極５，１４を用いて人体の生体信号を取得することができる。一方、絶縁層４，１３が配線３，１２に重ね合わされて形成されているので、配線３，１２は、人体に接触しない。配線３，１２によって生体信号を取得することによるノイズを除去できるので、より精度の高い生体信号を取得することができる。また、複数の電極シート（主シート１、副シート１０）の電極５，１４同士を重ね合わせた上で熱圧着することにより両者を接着することができるので、異方性導電フィルム（ACF：Anisotropic Conductive Film）等の接合部材を用いる必要がなく、必要に応じて、生体の測定位置まで延長する配線３，１２を容易に接続することができる。したがって、他の電極シート（副シート１０）の配線３，１２を介して、生体の測定位置まで延長された配線３，１２を用いて生体信号を取得することができる。
【００３４】
（２）電極５を互いに重ならない位置に複数形成した。これにより、それぞれの電極５は、生体信号を取得することができる。また、少なくとも１つの電極５を他の電極シート（副シート１０）の電極１４と熱圧着することにより、熱圧着されていない電極５で生体信号を取得しつつ、熱圧着された電極５に対して、他の位置において取得された生体信号を入力することができる。したがって、電極５の形成位置に影響されずに、より多くの生体信号を取得することができる。
【００３５】
（３）電極５を、配線３を挟んでフレキシブル基材２上の両側に形成した。これにより、他の電極シート（副シート１０）の電極１４を熱圧着する際に、他の電極シート（副シート１０）によって取得される生体信号の測定位置に近い電極５を選択して熱圧着をすることができる。生体信号の測定位置に応じて熱圧着する電極５を変更することができるので、電極シート（主シート１、副シート１０）の利便性を向上させることができる。
【００３６】
（４）フレキシブル基材２，１１、配線３，１２、電極５，１４、及び、絶縁層４，１３を、伸縮性（構成素材の一部は低ヤング率（例えば、１００ＭＰａ以下、より好ましくは１０ＭＰａ以下）であるという概念を含む）のある材料によって形成した。これにより、生体の湾曲に沿って電極シート（主シート１、副シート１０）を湾曲させることができるので、生体に密着した状態で良好な生体信号を取得することができる。
【００３７】
（５）電極５，１４を絶縁層４，１３よりも薄い層として形成した。これにより、熱可塑性樹脂により形成された電極５，１４に熱を加えて軟化させたとしても、絶縁層４，１３の表面に溢れることなく電極５，１４同士を接着することができる。
【００３８】
以上、本発明の電極シートの好ましい一実施形態につき説明したが、本発明は、上述の実施形態に制限されるものではなく、適宜変更が可能である。
例えば、フレキシブル基材２，１１は、生体に貼付した際に生体の動きを阻害しないという観点から、例えば、厚みを１００μｍ以下、より好ましくは２５μｍ以下、更に好ましくは、１０μｍ以下に形成される。また、このようなフレキシブル基材２，１１は、最大伸び率が５０％以上であることがより好ましく、５００％以上であることが特に好ましい。ここで、フレキシブル基材２，１１の最大伸び率とは、面内方向の一方向に弾性変形可能な伸び率の最大値のことをいう。また、フレキシブル基材２，１１の伸び率とは、外力が付加されていない場合の寸法（伸び率０％寸法）に対し、力が加えられることにより面内方向の一方向に伸びた割合を意味する。例えば、伸び率５０％であれば、伸び率０％寸法の１．５倍の伸び率であり、伸び率５００％であれば、伸び率０％寸法の５倍の伸び率である。このようなフレキシブル基材２，１１は、７ＭＰａ程度のヤング率をもつ。
【００３９】
また、配線３，１２及び電極５，１４は、銀、金、白金、カーボン、銅、アルミニウム、コバルト、若しくは、ニッケル、又は、これらの合金などの導電性の良好な材料を選択的に用いて形成することができる。導電性材料の形状は特に限定されないが、顆粒または粉体等の粒子状とすることができる。粒子形状は特に限定されず、球状、針状、フレーク状、ナノワイヤ状等にすることができる。粒子のアスペクト比は、例えば、１以上１００以下、特に、１以上５０以下とすることができる。ここで、アスペクト比とは、三次元体の最長寸法と最短寸法の比を意味する。配線３，１２及び電極５，１４を構成する粒子のアスペクト比を５以上５０００以下（なお、アスペクト比の５０００付近に該当する材料は、銀ナノワイヤなどである）とすることにより、電極シート（主シート１、副シート１０）が面内方向に伸長して、配線３，１２及び電極５，１４が長さ方向に変形した場合の抵抗変化を抑制することができる。
【００４０】
また、配線３，１２及び電極５，１４は、樹脂バインダとして、ウレタン樹脂バインダ、アクリル樹脂バインダ、ポリエステル樹脂バインダなどの熱可塑性樹脂のエストラマー材料を用いて形成することができる。また、樹脂バインダは、塗膜化された状態における配線３，１２及び電極５，１４の弾性率に対して同等か、又はより小さくなるように低ヤング率（例えば、１００ＭＰａ以下、より好ましくは１０ＭＰａ以下）のものを選択することが好ましい。エストラマー材料は、１種類で用いられてもよく、又は、複数種類のエストラマー材料を混合して用いられてもよい。
【００４１】
また、配線３，１２及び電極５，１４は、印刷法として、例えば、スクリーン印刷方法、インクジェット印刷方法、グラビア印刷方法、オフセット印刷方法を用いて形成することができる。特に、微細解像度や厚膜安定性の観点から、スクリーン印刷が好適に用いられる。印刷法を用いて配線３，１２及び電極５，１４を形成する場合、上述した導電性粒子及び樹脂バインダ並びに有機溶剤を含む導電性ペーストを調製して印刷法に用いることができる。配線３，１２及び電極５，１４に、銀等の金属粒子を主成分とする伸縮性の導電性ペーストを用いることによって、例えば、５０％以上、７０％以下程度の伸び率を実現することができ、伸長特性に優れた配線３，１２の形成が可能となる。
【００４２】
配線３，１２及び電極５，１４の厚み寸法及び幅寸法は、配線３，１２及び電極５，１４の無負荷時の抵抗率及び電極シート（主シート１、副シート１０）の伸張時の抵抗変化の他、電極シート（主シート１、副シート１０）全体の厚み寸法及び幅寸法の制約に基づいて決定することができる。フレキシブル基材２，１１の伸張時の寸法変化に追従させて良好な伸縮性を確保するという観点から、特に、配線３，１２の幅寸法は、１０００μｍ以下であることが好ましく、５００μｍ以下であることがより好ましく、２００μｍ以下であることがさらに好ましい。配線３，１２を構成する個々の配線３，１２の厚み寸法は、２５μｍ以下とすることができ、好ましくは、１０μｍ以上１５μｍ以下である。
【００４３】
また、絶縁層４，１３は、フレキシブル基材２，１１と共通の樹脂材料によって形成されてもよい。これにより、フレキシブル基材２，１１の伸縮領域の伸縮性を損なうことなく配線３，１２を保護することができる。絶縁層４，１３は、エストラマー系のペーストをフィルム基材６及びフレキシブル基材２，１１に塗布及び乾燥させて作成することができる。このほか、予めシート状に作成されて貫通孔４１，１３１が形成された絶縁層４，１３を、フィルム基材６及びフレキシブル基材２，１１に対して貼付してもよく、又は、伸縮性を備える接着剤を用いて接合してもよい。絶縁層４，１３の厚みは、フレキシブル基材２，１１の伸縮性を妨げない観点から、１００μｍ以下であることが好ましく、５０μｍ以下であることがより好ましく、３０μｍ以下であることがさらに好ましい。
【００４４】
また、フィルム基材６は、フレキシブル基材２，１１よりも大きなヤング率（例えば、５〜１０ＧＰａ）を有し、ポリエチレンテレフタラート（PET）、ポリエチレンナフタレート（PEN）、ポリイミド（PI）、ポリフェニレンサルファイド（PPS）等の、低摺動性、耐食性、及び、高強度の合成樹脂によって形成することができる。このほか、フィルム基材６は、セルロースナノファイバーペーパー等相応の耐久性を備えた紙素材を用いてもよい。
【００４５】
フィルム基材６として、ウレタン系エラストマシートを用いる場合、加熱により融着性を示すため、被着体であるフレキシブル基材２，１１と熱圧着させて積層一体化することができる。フィルム基材６とフレキシブル基材２，１１とを直接に接合することにより、ACF等の接合部材を省略し、接合プロセスを簡略化することができる。また、加熱及び圧着をしない限り、フィルム基材６及びフレキシブル基材２，１１は接着されないので、高精度の位置合わせをする場合にも、合わせ位置の修正が可能であり、作業性を高めることができる。なお、２つの層が接合されているとは、ヒートプレス（熱圧着）等の接合方法によって、当該２つの層が直接的に接触して一体化されていることを意味する。
【００４６】
また、上記実施形態において、主シート１の電極５を８つとしたが、これに限定されず、任意の数だけ設けられてよい。また、副シート１０の数についても３つに限定されず、測定位置に応じた数だけ用意されてよい。また、副シート１０同士を接続して、配線１２を延長するようにしてもよい。また、主シート１を、脳波を取得する電極シートとして説明したが、これに限定されず、血圧や、脈拍等、種々の生体信号を取得する電極シートとして、生体の種々の位置に貼付されてもよい。
【符号の説明】
【００４７】
１  主シート
２，１１  フレキシブル基材
３，１２  配線
４，１３  絶縁層
５，１４  電極
１０  副シート
【図１】
2018042686.tif 000003
【図２】
2018042686.tif 000004
【図３】
2018042686.tif 000005
【図４】
2018042686.tif 000006
【図５】
2018042686.tif 000007
【図６】
2018042686.tif 000008
【図７】
2018042686.tif 000009